(57)【特許請求の範囲】
【請求項１】
ＩＴＵ−Ｔ勧告Ｖ．８及びＶ．３４に規定された通信機能を有するファクシミリ装置において、
ＥＣＭ受信の可否を判断する手段と、
ＥＣＭ受信が不可能である場合は、勧告Ｖ．８による通信を開始せず、勧告Ｔ．３０に規定された通信手順を開始するように制御する手段と、
を備えたことを特徴とするファクシミリ装置。
【請求項２】
ＩＴＵ−Ｔ勧告Ｖ．８及びＶ．３４に規定された通信機能を有するファクシミリ装置において、
ＥＣＭ受信の可否を判断する手段と、
勧告Ｖ．８による通信開始後にＥＣＭ受信が不可能であることを検出した場合は、勧告Ｖ．８によるＪＭ信号でＶ．３４モデム勧告に規定された変調モードを示す所定ビットを０とするように制御する手段と、
を備えたことを特徴とするファクシミリ装置。
【請求項３】
ＩＴＵ−Ｔ勧告Ｖ．８及びＶ．３４に規定された通信機能を有するファクシミリ装置において、
ＥＣＭ受信の可否を判断する手段と、
勧告Ｖ．８による通信でパラメータ交換後にＥＣＭ受信が不可能であることを検出した場合は、勧告Ｖ．３４による通信のコントロールチャネルのフェーズで通信を切断するように制御する手段と、
を備えたことを特徴とするファクシミリ装置。
【請求項４】
ＩＴＵ−Ｔ勧告Ｖ．８及びＶ．３４に規定された通信機能を有するファクシミリ装置において、
ＥＣＭ受信の可否を判断する手段と、
勧告Ｖ．３４による通信でパラメータ交換後にＥＣＭ受信が不可能であることを検出した場合は、勧告Ｖ．３４による通信のコントロールチャネルのフェーズで通信を切断するように制御する手段と、
を備えたことを特徴とするファクシミリ装置。
【発明の詳細な説明】
【０００１】
【発明の属する技術分野】
本発明は、ＩＴＵ(International Telecommunication Union)−Ｔ勧告Ｖ．８及びＶ．３４の規格を装備したファクシミリ装置に関する。
【０００２】
【従来の技術】
ＩＴＵ−Ｔ勧告Ｖ．８及びＶ．３４によると、Ｖ．３４通信にはＥＣＭ(ErrorCorrection Mode)が必須である。また、Ｖ．３４通信を行うには、通信開始時にＶ．８規格の通信を行うことも必須となっている。このＶ．８通信では互いのモデム種別情報を交換し合い、Ｖ．３４規格のモデムを互いに持っていれば、Ｖ．３４通信を行うことができる。しかし、ＥＣＭが無いファクシミリや、システム状態によってＥＣＭ受信できない場合の制御や通信フローに関しては決められていない。
なお、Ｖシリーズ勧告については、例えば「ＩＴＵ−Ｔ  Ｖシリーズ（モデム関連等）勧告集、財団法人  新日本ＩＴＵ協会」に記載されている。
【０００３】
【発明が解決しようとする課題】
前記従来技術では、Ｖ．３４規格のモデムを持っていても、システムの状態によってはＶ．３４通信ができないは場合には、Ｖ．８通信を開始するとエラーになったり、通信時間が延びることがあるという問題があった。
本発明は、このような問題点を改善し、ＩＴＵ−ＴのＶ．８規格及びＶ．３４規格の通信機能を有するファクシミリ装置において、Ｖ．３４通信ができない場合は、Ｖ．８通信を行わないようにし、これによってエラーの発生を防ぎ、信頼性を向上させることを目的とする。さらに本発明は、前記ファクシミリ装置において、Ｖ．８起動後にＥＣＭ受信できないことを検出した場合は、Ｖ．３４通信を行なわないようにし、エラー発生を防いで信頼性を向上させることを目的とする。また本発明は、前記ファクシミリ装置において、Ｖ．８通信のパラメータ交換終了後にＥＣＭ受信不可能であることを検出した場合は、Ｖ．３４通信のなかのコントロールチャネルのフェーズで通信を切断し、できるだけ速く回線を解放させて無駄な通信コストを抑えることを目的とする。また本発明は、前記ファクシミリ装置において、Ｖ．３４通信のコントロールチャネル開始後にＥＣＭ受信不可能であることを検出した場合は、Ｖ．３４通信のなかのコントロールチャネルのフェーズで通信を切断し、できるだけ早く回線を解放させて無駄な通信コストを抑えることを目的とする。
【０００４】
【課題を解決するための手段】
上記目的を達成するため、請求項１記載の発明は、通信制御部（図１の３０４）、システム制御部（図１の３０８）、ＥＣＭバッファ（図１の３０９）等を備え、ＩＴＵ−Ｔ勧告のＶ．８及びＶ．３４規格の通信を行うことができるファクシミリ装置において、ＥＣＭ受信が可能であるか判断する手段（図１の３０４，３０８等）と、ＥＣＭ受信が不可能である場合は、Ｖ．８通信を開始せずに従来のＴ．３０に規定された通信手順を開始する手段（図１の３０４，３０８等）と、を持つことに特徴がある。より具体的には、ＥＣＭ受信が不可能な場合は、従来のＴ．３０におけるＣＥＤ信号を送信する（図４参照）。
また請求項２記載の発明は、前記ＥＣＭ受信が可能であるか判断する手段と、Ｖ．８通信開始後にＥＣＭ受信が不可能であることを検出した場合は、Ｖ．８通信で送信されるＪＭ信号における、Ｖ．３４モデム勧告の所定ビットを０とする手段（図１の３０４，３０８等）と、を持つことに特徴がある。より具体的には、ＪＭ信号の変調モードのうちＶ．３４半２重通信使用可ビットをセットせず、Ｖ．８通信終了後に従来のＴ．３０通信の制御を行う（図７参照）。
また請求項３記載の発明は、前記ＥＣＭ受信が可能であるか判断する手段と、Ｖ．８通信でパラメータ交換後にＥＣＭ受信が不可能であることを検出した場合は、Ｖ．３４通信のコントロールチャネルのフェーズで通信を切断する手段（図１の３０４，３０８等）と、を持つことに特徴がある。より具体的には、Ｖ．３４通信のコントロールチャネルに入ると、ＤＣＮ信号を送信して回線を切断する（図９参照）。
また請求項４記載の発明は、前記ＥＣＭ受信が可能であるか判断する手段と、Ｖ．３４通信でパラメータ交換後にＥＣＭ受信が不可能であることを検出した場合は、Ｖ．３４通信のコントロールチャネルのフェーズで通信を切断する手段（図１の３０４，３０８等）と、を持つことに特徴がある。より具体的には、ＥＣＭ受信不可が判明した時点でＤＣＮ信号を送信して回線を切断する（図１１参照）。
【０００５】
【発明の実施の形態】
以下、図面により実施例を示すことによって、本発明の実施の形態を説明する。
図１は、本発明の一実施例におけるファシクシミリ装置のシステム構成を示す図である。
本実施例のファクシミリ装置は、画情報を読み込むためのスキャナ３０１、画情報を印字するためのプロッタ３０２、画情報を圧縮伸長するための符号化復号化部３０３、後述のＩＴＵ−Ｔ勧告Ｖ．８、Ｖ．３４、及びＴ．３０に基く通信制御を行うための通信制御部３０４、ＩＴＵ−ＴのＶシリーズモデム勧告に規定された動作を行い、送受信データに対して変復調処理を行うモデム３０５、回線との接続／切断を行う網制御部３０６、オペレータとのインタフェースとなる操作表示部３０７、後述のＩＴＵ−Ｔ勧告Ｖ．８、Ｖ．３４、及びＴ．３０に基く通信制御を行い、かつ所定のファクシミリ通信制御を行うシステム制御部３０８、ＥＣＭ受信を行うために必要であって、画情報を一旦記憶しておくＥＣＭバッファ３０９から構成されている。
【０００６】
次に、前記構成にて行われる通信制御方法について述べる。
ここで図２を用い、通常のＶ．３４通信の流れ（Ｖ．８通信からＶ３４コントロールチャネルまで）について述べる。
図２において、受信側のＡＮＳam信号から送信側のＣＪ信号までのフェーズはＶ．８通信である。Ｖ．８通信では、プライマリチャネルの画情報の送信方向及びＶ．８終了後の変調モードを決定する。また、送信側のＩＮＦＯ0c信号以降をＶ．３４通信と呼び、ｆｌａｇ部分を特にコントロールチャネルと呼ぶ。コントロールチャネルでは、Ｔ．３０で決められているような互いの通信パラメータを交換することができる。ところで、Ｖ．３４のプライマリチャネル（画情報フェーズ）はＥＣＭ方式で画情報を通信することが必須である。しかし、ＥＣＭを双方が装備しているか、さらにＥＣＭ受信を行うことができるか、については、Ｖ．３４コントロールチャネルに入るまで互いに認識できない。これでは、ＥＣＭ受信を行えない状態でもプロトコル通信時間が無駄になり、最悪の場合は送受信が不可能になってしまう。なお、図３に示すように、ＥＣＭ受信を行うことができない場合に、受信側がＣＥＤ信号を送信してＴ．３０通信を行うようにすると、無駄な通信時間は発生しない。そこで、後述する各実施例の通信制御方法においては、ＥＣＭ受信の可否を検出するとともに、無駄な通信時間を省いて最適な通信を行う。
【０００７】
（第１の実施例）
図４は、本発明の第１の実施例におけるファクシミリ装置の通信制御方法を示すフローチャートである。
本実施例では、図１に示した構成により、着呼時により受信開始時にＥＣＭバッファ３０９の故障検出等を行い（ステップ４０１）、この結果、ＥＣＭ受信が可能であることが判明すると（ステップ４０１のｙ）、Ｖ．８通信を起動してＡＮＳam信号を送信開始する（ステップ４０２）。これに対してＥＣＭ通信が不可能な場合には（ステップ４０１のｎ）、勧告Ｔ．３０によるＣＥＤ信号を送信する（ステップ４０３）。その後、Ｖ．８通信及びＶ．３４通信、もしくはＴ．３０の所定の通信を行う（ステップ４０４）。
なお、本実施例は請求項１記載の発明の一実施例である。
【０００８】
（第２の実施例）
前記第１の実施例においては、ＥＣＭ受信が不可能な場合は、Ｖ．８通信を開始しないように制御しているので、この場合のエラーを防ぐことはできる。しかし、Ｖ．８通信起動後にＥＣＭ受信できないことが判明した場合については、配慮がなされていない。
そこで本実施例では、図５に示すように、ＡＮＳａｍ信号の送信開始後にＥＣＭバッファ３０９の故障等でＥＣＭ受信ができないときは、相手機からＥＣＭ信号が送られてきても、ＪＭ信号の変調モードのうちＶ．３４半２重通信可能ビットをセットしないことで、Ｖ．８通信終了後に従来のＴ．３０による制御を行い、非ＥＣＭ通信で画情報を受信することができる。
【０００９】
ここで、図６に本実施例におけるＪＭ信号のビット割り付けを示す。
ＪＭ信号はＥＣＭ信号と同様にスタートビット（ｓｔａｒｔ）からストップビット（ｅｎｄ）までの１０ビットの信号である。Ｍｏｄｕｌａｔｉｏｎ0〜Ｍｏｄｕｌａｔｉｏｎ2の中に各種変調モードが割り当てられていて、このビットを操作することでＶ．８通信終了後にＶ．３４通信の可否を決めることができる。
【００１０】
次に、図７を用い本実施例の通信制御方法を説明する。
本実施例では、ＥＣＭ受信の可否を判断し（ステップ７０１）、ＥＣＭ受信可能の場合は（ステップ７０１のｙ）、図６に示したＭｏｄｕｌａｔｉｏｎ0の所定ビット（ｂ７）にＶ．３４半２重通信使用可を設定して（ステップ７０２）、ＪＭ信号を送信する。（ステップ７０４）。また、ＥＣＭ受信不可の場合は（ステップ７０１のｎ）、図６に示したＭｏｄｕｌａｔｉｏｎ0の所定ビット（ｂ７）にＶ．３４半２重通信使用不可を設定してから（ステップ７０３）、ＪＭ信号を送信する。（ステップ７０４）。
なお、本実施例は請求項２記載の発明の一実施例である。
【００１１】
（第３の実施例）
前記第１及び第２の実施例では、ＥＣＭ受信が不可能な場合は、Ｖ．８通信を開始しないか、開始した場合でもＶ．８通信のパラメータからＶ．３４通信を削除することで、Ｖ．３４通信を行わないようにしてエラー発生を抑制している。しかし、Ｖ．８通信でのパラメータ交換時にＥＣＭ受信不可能であることを検出した場合には対応できない。
そこで本実施例では、図８に示すように、Ｖ．８通信が終了してからＥＣＭ受信不可能であることが判明した場合、Ｖ．３４通信のコントロールチャネルのフェーズに入るまでは通常と同じように通信を行う。そしてＶ．３４通信のコントロールチャネルに入ると、ＤＣＮ信号を送信して確実に回線切断を行うように制御する。
【００１２】
次に、図９を用い本実施例の通信制御方法を説明する。
本実施例では、ＥＣＭ受信の可否を判断し（ステップ９０１）、ＥＣＭ受信が可能な場合は（ステップ９のｙ）、Ｖ．３４通信のコントロールチャネルでＤＩＳ信号を送信し通信を続行する（ステップ９０２）。また、ＥＣＭ受信が不可能な場合は（ステップ９のｎ）、ＤＣＮ信号を送信して通信を終了させる（ステップ９０３）。
なお、本実施例は請求項３記載の発明の一実施例である。
【００１３】
（第４の実施例）
前記第１〜第３の実施例では、ＥＣＭ受信が不可能な場合には、Ｖ．８通信を開始しないか、始めた場合でもＶ．８通信のパラメータからＶ．３４通信を削除したり、Ｖ．３４通信開始後でもコントロールチャネル開始時に回線を切断することで、エラー発生を抑制し、あるいはできるだけ早く回線を解放している。しかし、Ｖ．３４通信のコントロールチャネルでＤＩＳ／ＤＣＳ信号交換後にＥＣＭ受信できないことが判明した場合には対応できない
そこで本実施例では、図１０に示すように、Ｖ．３４通信のコントロールチャネルの通信が開始してからＥＣＭ受信が不可能であることが判明した場合は、通常と同じように通信を行い、ＥＣＭ受信不可が判明した時点でＤＣＮ信号を送信して確実に回線切断を行うように制御する。
【００１４】
次に、図１１を用い本実施例の通信制御方法を説明する。
本実施例では、ＥＣＭ受信の可否を判断し（ステップ１１０１）、ＥＣＭ受信が可能な場合は（ステップ１１０１のｙ）、Ｖ．３４通信のコントロールチャネルでＣＦＲ信号を送信し通信を続行する（ステップ１１０２）。また、ＥＣＭ受信が不可能な場合には（ステップ１１０１のｎ）、ＤＣＮ信号を送信して通信を終了させる（ステップ１１１０３）。
なお、本実施例は請求項４記載の発明の一実施例である。
【００１５】
【発明の効果】
本発明によれば、ＥＣＭ受信が不可能な場合にはＶ．８通信を行なわず、勧告Ｔ．３０の手順による通信を行うことができるので、エラー発生を抑えることができ、従って信頼性を向上させることができる。
また本発明によれば、Ｖ．８通信開始後にＥＣＭ受信できないことが判明した場合でも、Ｖ．８通信におけるパラメータ交換時にＶ．３４通信を不可能としているので、エラーになりにくく、この結果信頼性が向上する。
また本発明によれば、Ｖ．８通信のパラメータ交換終了後にＥＣＭ受信不可能であることを検出した場合に、Ｖ．３４通信開始後でもコントロールチャネル開始時に通信を切断しているで、無駄な通信を短時間で終了し回線を解放でき、コスト削減が可能である。
また本発明によれば、Ｖ．３４通信のコントロールチャネル開始後にＥＣＭ受信不可能であることを検出した場合に、Ｖ．３４通信のなかのコントロールチャネルのフェーズで通信を切断し、できるだけ早く回線を解放させて無駄な通信コストを抑えることができる。
【図面の簡単な説明】
【図１】本発明の一実施例におけるファシクシミリ装置のシステム構成を示す図である。
【図２】通常のＶ．３４通信の手順を示す図である。
【図３】ＥＣＭがない場合の通信手順を示す図である。
【図４】本発明の第１の実施例におけるファクシミリ装置の通信制御方法を示すフローチャートである。
【図５】本発明の第２の実施例におけるファクシミリ通信手順（受信側がＥＣＭを持たず、ＡＮＳam送信開始後にＥＣＭ受信不可が判明した場合）を示す図である。
【図６】本発明の第２の実施例におけるＣＭ／ＪＭビットの割り付けを示す図である。
【図７】本発明の第２の実施例におけるファクシミリ装置の通信制御方法を示すフローチャートである。
【図８】本発明の第３の実施例におけるファクシミリ通信手順（受信側がＥＣＭを持たず、Ｖ．８通信終了後にＥＣＭ受信不可が判明した場合）を示す図である。
【図９】本発明の第３の実施例におけるファクシミリ装置の通信制御方法を示すフローチャートである。
【図１０】本発明の第４の実施例におけるファクシミリ通信手順（受信側がＥＣＭを持たず、Ｖ．３４通信のコントロールチャネル開始後にＥＣＭ受信不可が判明した場合）を示す図である。
【図１１】本発明の第４の実施例におけるファクシミリ装置の通信制御方法を示すフローチャートである。
【符号の説明】
３０１：スキャナ、３０２：プロッタ、３０３：符号化復号化部、３０４：通信制御部、３０５：モデム、３０６：網制御部、３０７：操作表示部、３０８：システム制御部、３０９：ＥＣＭバッファ。
【図１】
0003543502.tif 000002
【図２】
0003543502.tif 000003
【図３】
0003543502.tif 000004
【図４】
0003543502.tif 000005
【図５】
0003543502.tif 000006
【図６】
0003543502.tif 000007
【図７】
0003543502.tif 000008
【図８】
0003543502.tif 000009
【図９】
0003543502.tif 000010
【図１０】
0003543502.tif 000011
【図１１】
0003543502.tif 000012